(57)【要約】【課題】低コストで製造でき、確実に中皿を固定できるとともに、中皿の取付・取外しが容易である紙製容器を提供する。【解決手段】四角形からなる底部１０と、底部１０から立設される壁面部１１〜１４から形成される胴部とを備え、相対向する一組の壁面部１１、１２は、外側に折り返される折込部２１〜２８を介して隣り合う壁面部１３、１４と連続し、壁面部１１、１２に中皿嵌合部３１〜３４が設けられている。折込部２１，２３，２５，２７と壁面部１１〜１４とはそれぞれ糊着され、重なり合う折込部同士、すなわち、折込部２１，２３，２５，２７と折込部２２，２４，２６，２８とは糊着されていない。【選択図】図１
2019123536.tif 000002
【特許請求の範囲】
【請求項１】
多角形からなる底部と、
前記多角形の各辺から立設される複数の壁面部から形成される胴部と、
を備え、
前記複数の壁面部のうち相対向する一組の壁面部は、重なり合って外側に折り返される折込部を介して隣り合う壁面部と連続し、
前記一組の壁面部の両端に中皿嵌合部が設けられている
ことを特徴とする紙製容器。
【請求項２】
前記底部は四角形からなり、
前記胴部は、四角形からなる第１〜４壁面部と三角形からなる第１〜８折込部とから形成され、
前記第１壁面部と第２壁面部とは対向し、前記第３壁面部と第４壁面部とは対向し、
前記第１壁面部と第３壁面部との間には第１および第２折込部が重なり合って外側に折り返されるよう設けられ、
前記第１壁面部と第４壁面部との間には第３および第４折込部が重なり合って外側に折り返されるよう設けられ、
前記第２壁面部と第３壁面部との間には第５および第６折込部が重なり合って外側に折り返されるよう設けられ、
前記第２壁面部と第４壁面部との間には第７および第８折込部が重なり合って外側に折り返されるよう設けられ、
前記第１折込部と前記第１壁面部外面とは糊着され、前記第１折込部と前記第２折込部は糊着されておらず、
前記第３折込部と前記第１壁面部外面とは糊着され、前記第３折込部と前記第４折込部は糊着されておらず、
前記第５折込部と前記第２壁面部外面とは糊着され、前記第５折込部と前記第６折込部は糊着されておらず、
前記第７折込部と前記第２壁面部外面とは糊着され、前記第７折込部と前記第８折込部は糊着されておらず、
前記第１折込部と前記第１壁面部の一端部には、第１切欠部が形成され、
前記第３折込部と前記第１壁面部の他端部には、第２切欠部が形成され、
前記第５折込部と前記第２壁面部の一端部には、第３切欠部が形成され、
前記第７折込部と前記第２壁面部の他端部には、第４切欠部が形成され、
前記中皿嵌合部は、第１〜４切欠部から形成される
ことを特徴とする請求項１記載の紙製容器。
【請求項３】
前記一組の壁面部の上辺には、フランジが設けられている
ことを特徴とする請求項１または２記載の紙製容器。
【請求項４】
一枚のブランク板から形成されてなる
ことを特徴とする請求項１〜３いずれか記載の紙製容器。
【請求項５】
請求項１〜４いずれか記載の紙製容器と、
前記紙容器底部の多角形状に対応した多角形状であって、外縁に中皿側嵌合部が形成される中皿と、
前記紙製容器の中皿嵌合部と前記中皿側嵌合部とからなる嵌合構造と、
を備えることを特徴とする中皿付容器。
【請求項６】
前記中皿の多角形のうち、前記紙製容器の一組の壁面部に対向する辺は、外側に膨らむ曲線状である
ことを特徴とする請求項５記載の中皿付容器。
【発明の詳細な説明】
【技術分野】
【０００１】
本発明は、中皿付き紙製容器に関する。
【背景技術】
【０００２】
弁当用として中皿付き容器が用いられることがある。中皿を用いて、おかずを分離する。特に、おかずに汁気を含む場合は、米飯が白いままの状態を維持でき、美観や食感を損なうことがない。
【０００３】
中皿付き容器を蕎麦やうどん等に用いてもよい。中皿を用いて、蕎麦やうどんに乗せる天婦羅を分離する。蕎麦やうどんによる湿気により、天婦羅のサクサク感を損なうことがない。
【０００４】
特許文献１では、丼ぶり形状容器において、中皿を蓋としても利用することを提案している。
【先行技術文献】
【特許文献】
【０００５】
【特許文献１】特開平１１−２７８５５２号公報
【発明の概要】
【発明が解決しようとする課題】
【０００６】
一般的に市販されている中皿付き紙製容器を図１０に示す。中皿付き紙製容器は、紙製容器と、中皿と、キャップ蓋から構成される。
【０００７】
紙製容器は略逆円錐台状である。胴部の上辺はカール加工されている。
【０００８】
中皿は円板状であり、円板の外周に沿って掛止部を有する。中皿の掛止部が紙製容器のカール部に掛かることにより係合し、中皿は紙製容器に固定される。中皿は樹脂製である。
【０００９】
中皿が紙製容器に固定された状態で、更に、キャップ蓋が設けられる。キャップ蓋は樹脂製である。
【００１０】
ところで、紙製容器は、円形の底部と、扇状を筒状とする胴部とを貼り合わせて形成される。すなわち、一枚のブランク板から形成することができない。
【００１１】
また、中皿と固定するため、さらに、キャップ蓋と嵌合するために、カール部による高剛性は必須である。すなわち、カール加工は必須となる。
【００１２】
さらに、確実に紙製容器に中皿を固定するためには、紙製容器を高精度に形成する必要がある。
【００１３】
上記要因により、一般的に市販されている中皿受け可能な紙製容器は、多少、製造コストを要する。したがって、低コスト化を図りたいという要望がある。
【００１４】
上述の通り、紙製容器を高精度で形成することにより、確実に紙製容器に中皿を固定できる。ところで、消費者が食品を食すときは、中皿を紙製容器から取り外す。このとき、確実に固定されている程、取外しが困難となる。
【００１５】
すなわち、中皿固定の確実性と中皿の取外し容易性は二律背反する。
【００１６】
本願発明は上記課題を解決するものであり、低コストで製造可能な紙製容器を提供することを目的とする。
【００１７】
さらに、確実に中皿を固定できるとともに、中皿の取付・取外しが容易な紙製容器を提供することを目的とする。
【課題を解決するための手段】
【００１８】
上記の目的を達成するために、本発明の紙製容器は、多角形からなる底部と、前記多角形の各辺から立設される複数の壁面部から形成される胴部と、を備え、前記複数の壁面部のうち相対向する一組の壁面部は、重なり合って外側に折り返される折込部を介して隣り合う壁面部と連続し、前記一組の壁面部の両端に中皿嵌合部が設けられている。
【００１９】
重なり合う折込部同士は糊着されていないが、重なり合う折込部の一方は相対向する一組の壁面部と糊着されている。
【００２０】
これにより、中皿嵌合部は微小回動可能となる。
【００２１】
上記発明において好ましくは、前記底部は四角形からなり、前記胴部は、四角形からなる第１〜４壁面部と三角形からなる第１〜８折込部とから形成され、前記第１壁面部と第２壁面部とは対向し、前記第３壁面部と第４壁面部とは対向し、前記第１壁面部と第３壁面部との間には第１および第２折込部が重なり合って外側に折り返されるよう設けられ、前記第１壁面部と第４壁面部との間には第３および第４折込部が重なり合って外側に折り返されるよう設けられ、前記第２壁面部と第３壁面部との間には第５および第６折込部が重なり合って外側に折り返されるよう設けられ、前記第２壁面部と第４壁面部との間には第７および第８折込部が重なり合って外側に折り返されるよう設けられ、前記第１折込部と前記第１壁面部外面とは糊着され、前記第１折込部と前記第２折込部は糊着されておらず、前記第３折込部と前記第１壁面部外面とは糊着され、前記第３折込部と前記第４折込部は糊着されておらず、前記第５折込部と前記第２壁面部外面とは糊着され、前記第５折込部と前記第６折込部は糊着されておらず、前記第７折込部と前記第２壁面部外面とは糊着され、前記第７折込部と前記第８折込部は糊着されておらず、前記第１折込部と前記第１壁面部の一端部には、第１切欠部が形成され、前記第３折込部と前記第１壁面部の他端部には、第２切欠部が形成され、前記第５折込部と前記第２壁面部の一端部には、第３切欠部が形成され、前記第７折込部と前記第２壁面部の他端部には、第４切欠部が形成され、前記中皿嵌合部は、第１〜４切欠部から形成される。
【００２２】
本願発明は、四角形容器に適用できる。その他、五角形、六角形、八角形に適用できる。
【００２３】
上記発明において好ましくは、前記一組の壁面部の上辺には、フランジが設けられている。
【００２４】
これにより、紙製容器のフランジを引っ張ると、中皿嵌合部が従動する。引張を解放すると元の位置に戻る。
【００２５】
上記発明において好ましくは、一枚のブランク板から形成されてなる。
【００２６】
これにより、低コストで製造可能である。
【００２７】
上記の目的を達成するための本発明の中皿付容器は、上記の紙製容器と、前記紙容器底部の多角形状に対応した多角形状であって、外縁に中皿側嵌合部が形成される中皿と、前記紙製容器の中皿嵌合部と前記中皿側嵌合部とからなる嵌合構造と、を備える。
【００２８】
これにより、確実に中皿を固定できるとともに、中皿の取付・取外しが容易となる。
【００２９】
上記発明において好ましくは、前記中皿の多角形のうち、前記紙製容器の一組の壁面部に対向する辺は、外側に膨らむ曲線状である。
【００３０】
これにより、紙製容器側中皿嵌合部は微小回動可能となる。その結果、確実に中皿を固定できるとともに、中皿の取付・取外しが容易となる。
【発明の効果】
【００３１】
本発明の紙製容器によれば、低コストで製造できる。
【００３２】
さらに、確実に中皿を固定できるとともに、中皿の取付・取外しが容易である。
【図面の簡単な説明】
【００３３】
【図１】本実施形態に係る紙製容器の概略構成図
【図２】容器の分解斜視図
【図３】容器の斜視図
【図４】ブランク板展開図
【図５】中皿嵌合構造詳細図
【図６】蓋構造詳細図
【図７】変形例１の概略構成図
【図８】変形例２の概略構成図
【図９】変形例３の概略構成図
【図１０】一般的な中皿付き紙製容器
【発明を実施するための形態】
【００３４】
〜全体構成〜
図１〜３に基づいて本発明に係る実施形態について説明する。図１は本実施形態に係る紙製容器の概略構成図である。図２は、紙製容器と中皿と蓋とを示す分解斜視図である。図３は、紙製容器と中皿と蓋とが一体となった容器の斜視図である。
【００３５】
すなわち、本実施形態の容器は、紙製容器１に中皿２が取り付けられ、さらに蓋３が設けられる。中皿２および蓋３は例えば樹脂製である。
【００３６】
使用例として、紙製容器１に米飯が入れられ、中皿２にはおかずが入れられる。
【００３７】
〜紙製容器構成および容器形成〜
図１に基づき、紙製容器１について説明する。紙製容器１は、一枚のブランク板から形成される。図４にブランク板の展開図を示す。
【００３８】
底部１０は長方形（四角形）であり、この四角形の４辺には、折線を介して、壁面部１１〜１４となる逆台形（四角形）が連続している。
【００３９】
第１壁面部１１と第３壁面部１３との間には、折線を介して、第１折込部２１および第２折込部２２となる三角形が連続して、配設されている。第１壁面部１１と第４壁面部１４との間には、折線を介して、第３折込部２３および第４折込部２４となる三角形が連続して、配設されている。第２壁面部１２と第３壁面部１３との間には、折線を介して、第５折込部２５および第６折込部２６となる三角形が連続して、配設されている。第２壁面部１１と第４壁面部１４との間には、折線を介して、第７折込部２７および第８折込部２８となる三角形が連続して、配設されている。
【００４０】
第１壁面部１１の一端部と第１折込部２１とには、折線を横断するように、第１切欠部３１となる開口が形成されている。第１壁面部１１の他端部と第３折込部２３とには、折線を横断するように、第２切欠部３２となる開口が形成されている。第２壁面部１２の一端部と第５折込部２５とには、折線を横断するように、第３切欠部３３となる開口が形成されている。第２壁面部１２の他端部と第７折込部２７とには、折線を横断するように、第４切欠部３４となる開口が形成されている。
【００４１】
第１壁面部１１となる逆台形の上辺には、折線を介して、フランジ４１となる略長方形が連続している。第２壁面部１２となる逆台形の上辺には、折線を介して、フランジ４２となる略長方形が連続している。
【００４２】
壁面部１１〜１４は、折線が谷折されて、底部１０から立設される。第１壁面部１１と第２壁面部１２とは対向する。第３壁面部１３と第４壁面部１４とは対向する。
【００４３】
第１折込部２１と第２折込部２２は、折線が谷折りされて、重なり合う。このとき、第１折込部２１と第１壁面部１１との折線および第２折込部２２と第３壁面部１３との折線は山折りされる。その結果、重なり合った第１折込部２１と第２折込部２２は、外側に折り返される。
【００４４】
同様に、第３折込部２３と第４折込部２４、第５折込部２５と第６折込部２６、第７折込部２７と第８折込部２８は、それぞれ重なり合って外側に折り返される。
【００４５】
次に、中皿嵌合部３０（切欠部３１〜３４）について詳述する。
【００４６】
第１折込部２１と第１壁面部１１外面とは糊着され一体となる。これにより、第１壁面部１１一端に、第１切欠部３１が形成される。
【００４７】
一方、第１折込部２１と第２折込部２２は糊着されていない。その結果、第１切欠部３１は、第１折込部２１と第２折込部２２との折線を軸として、微小回動が可能になる。
【００４８】
第３折込部２３と第１壁面部１１外面とは糊着され一体となる。これにより、第１壁面部１１他端に、第２切欠部３２が形成される。
【００４９】
一方、第３折込部２３と第４折込部２４は糊着されていない。その結果、第２切欠部３２は、第３折込部２３と第４折込部２４との折線を軸として、微小回動が可能になる。
【００５０】
第５折込部２５と第２壁面部１２外面とは糊着され一体となる。これにより、第２壁面部１２一端に、第３切欠部３３が形成される。
【００５１】
一方、第５折込部２５と第６折込部２６は糊着されていない。その結果、第３切欠部３３は、第５折込部２５と第６折込部２６との折線を軸として、微小回動が可能になる。
【００５２】
第７折込部２７と第２壁面部１２外面とは糊着され一体となる。これにより、第２壁面部１２他端に、第４切欠部３４が形成される。
【００５３】
一方、第７折込部２７と第８折込部２８は糊着されていない。その結果、第４切欠部３４は、第７折込部２７と第８折込部２８との折線を軸として、微小回動が可能になる。
【００５４】
第１〜４切欠部３１〜３４は、紙製容器側中皿嵌合部３０を構成する。中皿嵌合構造については後述する。
【００５５】
第１壁面部１１とフランジ４１となる略長方形との折線が山折りされて、フランジ４１が形成される。第２壁面部１２とフランジ４２となる略長方形との折線が山折りされて、フランジ４２が形成される。
【００５６】
以上の通り、紙製容器１は、一枚のブランク板に比較的簡単な加工をすることにより形成される。
【００５７】
〜中皿嵌合構造および動作〜
上記の通り、一組の壁面部１１，１２に設けられた第１〜４切欠部３１〜３４は、各折線に対して、微小回動可能である。切欠部３１〜３４は、紙製容器側中皿嵌合部３０を構成する。
【００５８】
次に、中皿２の構成について説明する。中皿２は、紙製容器底部１０の四角形状に対応した四角形状であり、外周にフランジが形成されている。
【００５９】
紙製容器の壁面部１１に対向するフランジの辺６５（図５参照）は、外側に膨らむ曲線状である。紙製容器の壁面部１２に対向するフランジの辺６６（図示付番省略）は、外側に膨らむ曲線状である。
【００６０】
中皿２のフランジの四隅は若干広くなっており、それぞれに、嵌合バー６１〜６４（図２参照、付番省略）が形成されている。嵌合バー６１〜６４は、中皿側嵌合部６０を構成する。
【００６１】
中皿嵌合構造は、紙製容器側中皿嵌合部３０と中皿側嵌合部６０とからなる。
【００６２】
図５は、中皿嵌合構造詳細図である。説明の便宜の為、フランジ４１や壁面部１４の図示を省略している。中皿嵌合構造の動作について説明する。切欠部３２と嵌合バー６２との嵌合を図示し、切欠部３１，３３，３４と嵌合バー６１，６３，６４との嵌合の図示を省略している。
【００６３】
中皿取付動作、嵌合状態維持、中皿取り外し動作について説明する。
【００６４】
まず、フランジ４１を摘み外側に開くように引っ張る。この動作に伴い壁面部１１も外側に膨らみ、切欠部３１，３２も壁面部１１の動作に従動する。
【００６５】
この状態を維持したまま中皿２を斜めにし、切欠部３１，３２相当位置に嵌合バー６１，６２を配置する。
【００６６】
フランジ４１に作用する力を解放すると、壁面部１１は弾性部材として機能し、元の位置に戻ろうとする。切欠部３１，３２も壁面部１１の動作に従動する。すなわち、切欠部３１，３２は嵌合バー６１，６２を嵌合するように移動する。
【００６７】
さらに、中皿フランジ辺６５は、外側に膨らむ曲線状であり、中央部が若干突出している。中皿フランジ辺６５が壁面部１１に対向し当接すると、中皿フランジ辺６５形状に対応して、壁面部１１も曲線状に外側に膨らむ。その結果、切欠部３１，３２は嵌合バー６１，６２を嵌合する方向にさらに移動する。
【００６８】
次に、フランジ４２を摘み外側に開くように引っ張り、同様の動作をおこなう。その結果、切欠部３３，３４は嵌合バー６３，６４を嵌合するように移動する。
【００６９】
これにより、中皿２は紙製容器１に容易に取り付けることができる。なお、図示では説明の便宜のため、切欠部３２の回動を強調している。
【００７０】
中皿フランジ辺６５，６６が壁面部１１，１２に当接した状態が維持されるため、切欠部３１〜３４の微小回動は維持される。すなわち、第１切欠部３１と第２折込部２２との間の微小空間、第２切欠部３２と第４折込部２４との間の微小空間、第３切欠部３３と第６折込部２６との間の微小空間、第４切欠部３４と第８折込部２８との間の微小空間が維持される。
【００７１】
これにより、十分な嵌合長が確保され、紙製容器側中皿嵌合部３０と中皿側嵌合部６０は確実に嵌合される。
【００７２】
また、第２折込部２２は第３壁面部１３と連続し、第４折込部２４は第４壁面部１４と連続し、第６折込部２６は第３壁面部１３と連続し、第８折込部２８は第４壁面部１４と連続している。これにより、紙製容器１は弾性部材として機能する。
【００７３】
中皿２は紙製容器１の弾性機能により紙製容器１内に緩やかに挟持される。
【００７４】
嵌合動作および挟持動作により、中皿２は紙製容器１に確実に固定される。
【００７５】
中皿取り外し動作は、中皿取付動作と反対の動作を行う。
【００７６】
フランジ４２を摘み外側に開くように引っ張る。この動作に伴い壁面部１２も外側に膨らみ、切欠部３３，３４も壁面部１２の動作に従動する。
【００７７】
嵌合バー６３，６４は切欠部３３，３４から外れる。この状態を維持したまま中皿２を斜めにし、さらに、嵌合バー６１，６２を切欠部３１，３２から外す。
【００７８】
〜蓋構造〜
一般的な紙製容器では、高剛性のカール部と樹脂製蓋を嵌合させる（図１０参照）。しかしながら、本実施形態では、紙製容器の変形を利用するため、高剛性のカール部を設けることは好ましくない。したがって、本実施形態では、中皿２と蓋３との内嵌合構造を用いて、紙製容器１の蓋とする。
【００７９】
図６は、蓋構造の詳細図である。中皿２の内壁と蓋３の外壁が嵌合している。蓋３の外周には幅広のフランジ７０が形成されている。
【００８０】
幅広のフランジ７０は、紙製容器１の外縁およびフランジ４１，４２を覆う。蓋３が間接的に紙製容器１を覆うことにより、高剛性のカール部は不要であり、紙製容器１の弾性変形機能が損なわれることがない。
【００８１】
〜効果まとめ〜
紙製容器１は、一枚のブランク板から形成され、比較的簡単な工程を経て、低コストで製造できる。
【００８２】
中皿２は紙製容器１に確実に固定される。中皿２の紙製容器１への取付および紙製容器１からの取外しが容易である。
【００８３】
〜変形例〜
【００８４】
本願発明は、上記実施形態に限定されず、発明の技術思想の範囲で種々の変形が可能である。以下、いくつかの変形例を示す。
【００８５】
図７は、変形例１の概略構成図である。上記実施形態の第３壁面部１３，第４壁面部１４の上辺に、フランジ４３，４４が形成される。
【００８６】
これにより、紙製容器１の弾性変形機能が損なわれない範囲において、紙製容器１の剛性が向上する。
【００８７】
また、幅広のフランジ７０は、フランジ４１，４２を覆う。これにより、蓋３の機能が向上する。
【００８８】
図８は、変形例２の概略構成図である。上記実施形態の多角形が四角形であるのに対し、変形例２では五角形である。
【００８９】
すなわち、折込部を有する五角形の紙製容器に五角形の中皿が取り付けられる。
【００９０】
中皿嵌合構造は本実施形態とほぼ共通である。ただし、上記実施形態では、相対向する一組の壁面部１１，１２に紙製容器側中皿嵌合部３０が設けられるのに対し、変形例２では、便宜的に、壁面部８１と壁面部８２，８３を相対向する一組と解釈する。
【００９１】
図示では、壁面部８２，８３の両方に切欠部を設けたが、壁面部８２，８３の一方に切欠部を設けてもよい。
【００９２】
図９は、変形例３の概略構成図である。上記実施形態の多角形が四角形であるのに対し、変形例３では六角形である。
【００９３】
すなわち、折込部を有する六角形の紙製容器に六角形の中皿が取り付けられる。
【００９４】
中皿嵌合構造は本実施形態と共通である。ただし、上記実施形態では、相対向する一組の壁面部１１，１２に紙製容器側中皿嵌合部３０が設けられるのに対し、変形例３では、相対向する一組の壁面部９１，９２に紙製容器側中皿嵌合部３０が設けられる。
【００９５】
上記変形例においても、上記実施形態と同様な効果が得られる。
【符号の説明】
【００９６】
１  紙製容器
２  中皿
３  蓋
１０  底部
１１  第１壁面部
１２  第２壁面部
１３  第３壁面部
１４  第４壁面部
２１  第１折込部
２２  第２折込部
２３  第３折込部
２４  第４折込部
２５  第５折込部
２６  第６折込部
２７  第７折込部
２８  第８折込部
３０  中皿嵌合部（紙製容器側）
３１  第１切欠部
３２  第２切欠部
３３  第３切欠部
３４  第４切欠部
４１  フランジ
４２  フランジ
４３  フランジ（変形例１）
４４  フランジ（変形例１）
６０  中皿側嵌合部
６１  第１嵌合バー
６２  第２嵌合バー
６３  第３嵌合バー
６４  第４嵌合バー
７０  蓋フランジ
８１〜８３  壁面部（変形例２）
９１〜９２  壁面部（変形例３）
【図１】
2019123536.tif 000003
【図２】
2019123536.tif 000004
【図３】
2019123536.tif 000005
【図４】
2019123536.tif 000006
【図５】
2019123536.tif 000007
【図６】
2019123536.tif 000008
【図７】
2019123536.tif 000009
【図８】
2019123536.tif 000010
【図９】
2019123536.tif 000011
【図１０】
2019123536.tif 000012